(57)【要約】      （修正有）【課題】異なるサイズの携帯装置に結合可能で、体積が小さく、容易に収納可能な外掛け式コントロールハンドルを提供する。【解決手段】外掛け式コントロールハンドルは携帯装置に結合されると共に２つの取手部１１０、活動部材１２０、及び２つの固定構造１３０を備える。活動部材は３つの連接棒１２１〜１２３を備え、２つの取手部の間に設置され、２つの固定構造は弾性部材と圧着部材を各々備え、活動部材にそれぞれ設置される。ユーザーは携帯装置を２つの取手部の間に定置させ、活動部材により２つの取手部の間隔を調整する。２つの取手部は携帯装置に接近するか離れ、固定構造により活動部材を調整後の距離で固定させることで、携帯装置は２つの取手部の間に挟装される。【選択図】図１
0003191644.tif 000002
【実用新案登録請求の範囲】
【請求項１】
携帯装置に結合される外掛け式コントロールハンドルであって、
少なくとも１つの制御キーがそれぞれ設けられ、前記携帯装置はそれらの間に定置される２つの取手部と、
第一連接棒、第二連接棒、及び少なくとも１つの中央連接棒を備え、前記第一連接棒の一端は何れか１つの前記取手部に活動するよう設置され、前記第二連接棒の一端は他の前記取手部に活動するよう設置され、前記中央連接棒の二端は前記第一連接棒及び前記第二連接棒の他端にそれぞれ枢設され、前記第一連接棒及び前記第二連接棒が前記２つの取手部に対しそれぞれ回転し、前記中央連接棒を連動させて枢動させ、前記２つの取手部は互いに離れるか接近する活動部材と、
前記第一連接棒内及び前記第二連接棒内にそれぞれ設置される２つの固定構造と、を備え、
前記固定構造はさらに弾性部材及び圧着部材を含み、前記弾性部材は前記圧着部材と前記第一連接棒との間、及び前記圧着部材と前記第二連接棒との間にそれぞれ設置され、前記圧着部材の一端は前記弾性部材に当接され、前記圧着部材の他端は前記中央連接棒に当接され、前記中央連接棒は前記弾性部材と前記圧着部材との間に挟装され、前記第一連接棒及び／或いは前記第二連接棒が押し方向に沿い変位し、前記弾性部材を圧縮すると、前記圧着部材の一端は前記押し方向に従い変位し、前記圧着部材の他端は前記中央連接棒から係脱することを特徴とする外掛け式コントロールハンドル。
【請求項２】
前記第一連接棒及び第二連接棒は心棒により連接される上部連接棒及び下部連接棒を有し、前記固定構造は前記心棒により前記第一連接棒の上部連接棒と下部連接棒との間に同軸で設置され、他の固定構造は前記心棒により前記第二連接棒の上部連接棒と下部連接棒との間に同軸で設置されることを特徴とする、請求項１に記載の外掛け式コントロールハンドル。
【請求項３】
前記圧着部材はバネを有し、前記バネは前記下部連接棒と前記圧着部材との間に設置され、前記圧着部材は常態では前記押し方向の反対に沿い当着し、前記上部連接棒は前記押し方向に沿い変位し、前記圧着部材を連動させて前記押し方向に沿い変位させ、前記バネは前記圧着部材及び前記下部連接棒に圧迫されて回復弾力を発生させ、前記圧着部材を前記押し方向の反対に沿い弾性により回復させることを特徴とする、請求項２に記載の外掛け式コントロールハンドル。
【請求項４】
前記２つの取手部の対向する２つの側面にそれぞれ設置される２つのパットを更に備え、前記パットの材質は軟性材料であり、前記携帯装置は前記２つのパットにより前記２つの取手部の間に挟装されることを特徴とする、請求項１に記載の外掛け式コントロールハンドル。
【請求項５】
何れか１つの前記取手部に設置される接続ポートを更に備え、前記携帯装置に電気的に接続されることを特徴とする、請求項１に記載の外掛け式コントロールハンドル。
【請求項６】
何れか１つの前記取手部内に装設されるワイヤレスモジュールを更に備え、前記携帯装置からの制御信号を受信させるか、或いは制御信号を前記携帯装置に送信させることを特徴とする、請求項１に記載の外掛け式コントロールハンドル。
【請求項７】
前記２つの取手部の底部には凹部を更に有し、前記活動部材及び前記２つの固定構造は前記凹部内に収納されることを特徴とする、請求項１に記載の外掛け式コントロールハンドル。
【請求項８】
各前記取手部には操作レバーが更に設置されることを特徴とする、請求項１に記載の外掛け式コントロールハンドル。
【請求項９】
前記制御キーは方向キー或いはファンクションキーであることを特徴とする、請求項１に記載の外掛け式コントロールハンドル。
【請求項１０】
前記弾性部材はゴム或いは発泡材であることを特徴とする、請求項１に記載の外掛け式コントロールハンドル。
【考案の詳細な説明】
【技術分野】
【０００１】
本考案は、提携装置の結合に用いられる外掛け式コントロールハンドルに関する。
【背景技術】
【０００２】
スマートフォン等の携帯装置は、移動通信、インターネット接続、ゲーム等の多くの機能を兼備し、世に登場して以来関連産業に大きな衝撃を与えている。スマートフォンには多くの機能が搭載されるため、消費者は熱狂し、関係業者もスマートフォン、タブレット端末、デジタルメディアプレーヤー(例えばiPhone、iPad、iPod等)等の携帯装置用のアプリ(App)の開発にしのぎを削る。携帯装置のアプリは現時点で既に数百万種類以上に上り、数あるアプリの中でも特にゲームアプリが最も人気が高く、これらゲームアプリは携帯装置に内蔵されるハードウェアを有効活用し、より多彩で直感的な操作方式を実現している。
【先行技術文献】
【特許文献】
【０００３】
【特許文献１】特開２０１２−２４９６４４号公報
【考案の概要】
【考案が解決しようとする課題】
【０００４】
しかしながら、前述した従来の技術では、現在市販されるスマートフォンやタブレット端末に応用されるゲーム用の操作レバーやゲームコントロールパネルの固定構造或いは接続装置は、単一の機種またはメーカー製品にしか適用できず、操作も複雑過ぎるため、ユーザーはサイズの異なる携帯装置にはゲームの操作レバーを速やかに調整させることが出来ず、使用上の困難をもたらし、ゲーム用の操作レバーの体積も大き過ぎるため収納し辛く、携帯できず、ユーザーにとって極めて不便であった。
【０００５】
このため、ユーザーがゲームの操作レバーを如何に素早く調整させ、各種の携帯装置に適用させると同時に収納しやすくするかが、メーカーが研究開発すべき課題であった。
【０００６】
そこで、本考案者は上記の欠点が改善可能と考え、鋭意検討を重ねた結果、合理的かつ効果的に課題を改善する本考案の提案に到った。
【０００７】
本考案は、このような従来の問題に鑑みてなされたものである。上記課題解決のため、本考案は、外掛け式コントロールハンドルを提供することを主目的とする。すなわち、従来のゲーム用の操作レバーの固定構造或いは接続装置は単一の機種またはメーカー製品にしか適用できず、操作も複雑過ぎ、ユーザーがゲーム用の操作レバーをサイズの異なる携帯装置に用いると速やかに調整できず、使用上の困難をもたらし、ゲーム用の操作レバーの体積が大き過ぎて収納し難く、携帯性を損なう等の問題を解決させる。
【課題を解決するための手段】
【０００８】
上述した課題を解決し、目的を達成するために、本考案に係る外掛け式コントロールハンドルは、携帯装置に結合される外掛け式コントロールハンドルであって、
少なくとも１つの制御キーがそれぞれ設けられ、前記携帯装置はそれらの間に定置される２つの取手部と、第一連接棒、第二連接棒、及び少なくとも１つの中央連接棒を備え、前記第一連接棒の一端は何れか１つの前記取手部に活動するよう設置され、前記第二連接棒の一端は他の前記取手部に活動するよう設置され、前記中央連接棒の二端は前記第一連接棒及び前記第二連接棒の他端にそれぞれ枢設され、前記第一連接棒及び前記第二連接棒が前記２つの取手部に対しそれぞれ回転し、前記中央連接棒を連動させて枢動させ、前記２つの取手部は互いに離れるか接近する活動部材と、前記第一連接棒内及び前記第二連接棒内にそれぞれ設置される２つの固定構造とを備え、
前記固定構造はさらに弾性部材及び圧着部材を含み、前記弾性部材は前記圧着部材と前記第一連接棒との間、及び前記圧着部材と前記第二連接棒との間にそれぞれ設置され、前記圧着部材の一端は前記弾性部材に当接され、前記圧着部材の他端は前記中央連接棒に当接され、前記中央連接棒は前記弾性部材と前記圧着部材との間に挟装され、前記第一連接棒及び／或いは前記第二連接棒が押し方向に沿い変位し、前記弾性部材を圧縮すると、前記圧着部材の一端は前記押し方向に従い変位し、前記圧着部材の他端は前記中央連接棒から係脱することを特徴とする。
【０００９】
この好ましい実施形態では、第一連接棒及び第二連接棒は心棒により連接される上部連接棒及び下部連接棒を有し、固定構造には心棒が同軸として第一連接棒の上部連接棒と下部連接棒との間に設置され、他の固定構造は心棒が同軸として第二連接棒の上部連接棒と下部連接棒との間に設置される。
【００１０】
この好ましい実施形態では、圧着部材はバネを有し、バネは下部連接棒と圧着部材との間に設置され、圧着部材は常態では押し方向の反対に沿い当着し、上部連接棒は押し方向に沿い変位し、圧着部材を連動させて押し方向に沿い変位させ、バネは圧着部材及び下部連接棒に圧迫されて回復弾力を発生させ、圧着部材を押し方向の反対に沿い弾性により回復させる。
【００１１】
この好ましい実施形態では、２つの取手部の対向する２つの側面にそれぞれ設置される２つのパットを更に備え、パットの材質は軟性材料であり、携帯装置は２つのパットにより２つの取手部の間に挟装される。
【００１２】
この好ましい実施形態では、何れか１つの取手部に設置される接続ポートを更に備え、携帯装置に電気的に接続される。
【００１３】
この好ましい実施形態では、何れか１つの取手部内に装設されるワイヤレスモジュールを更に備え、携帯装置からの制御信号を受信させるか、或いは制御信号を携帯装置に送信させる。
【００１４】
この好ましい実施形態では、２つの取手部の底部には凹部を更に有し、活動部材及び２つの固定構造は凹部内に収納される。
【００１５】
この好ましい実施形態では、各取手部には操作レバーが更に設置される。
【００１６】
この好ましい実施形態では、制御キーは方向キー或いはファンクションキーである。
【００１７】
この好ましい実施形態では、はゴム或いは発泡材である。
【考案の効果】
【００１８】
本考案によれば、外掛け式コントロールハンドルは活動部材及び固定構造の構造設計により、ユーザーは実際の需要に合わせて２つの取手部の間隔を調整させ、異なるサイズの様々な携帯装置は全て本考案による外掛け式コントロールハンドルに結合可能になり、適用性を高める。このほか、活動部材及び固定構造は２つの取手部の凹部内に収納され、２つの取手部を互いに接近させることで体積全体を縮小させ、容易に収納可能になり携帯の利便性を達成させる。
【図面の簡単な説明】
【００１９】
【図１】本考案の第１実施形態による外掛け式コントロールハンドルを示す傾斜の概略図である。
【図２】本考案の第１実施形態による外掛け式コントロールハンドルを示す側面の概略図である。
【図３】本考案の第１実施形態による外掛け式コントロールハンドルの活動部材及び固定構造を示す一部の拡大図である。
【図４】本考案の第１実施形態による外掛け式コントロールハンドルの活動部材及び固定構造を示す作動の概略図である。
【図５】本考案の第１実施形態による外掛け式コントロールハンドルを示す操作の概略図である。
【図６】本考案の第１実施形態による外掛け式コントロールハンドルは携帯装置に結合される傾斜の概略図である。
【図７】本考案の第２実施形態による外掛け式コントロールハンドルは携帯装置に結合される傾斜の概略図である。
【図８】本考案の第２実施形態による外掛け式コントロールハンドルを収納する概略図である。
【考案を実施するための形態】
【００２０】
以下に図面を参照して、本考案を実施するための形態について、詳細に説明する。なお、本考案は、以下に説明する実施形態に限定されるものではない。
【００２１】
＜第１実施形態＞
以下、第１実施形態を図１〜６に基づいて説明する。図１ないし図５は本考案の第１実施形態による外掛け式コントロールハンドルを示す傾斜の概略図である。なお、図６は本考案の第１実施形態による外掛け式コントロールハンドルを携帯装置に結合される傾斜の概略図である。本考案の実施形態に係る外掛け式コントロールハンドル１００は携帯装置２００に結合され、ユーザーは外掛け式コントロールハンドル１００により携帯装置２００内のアプリを操作できる。携帯装置２００はスマートフォン、タブレット端末、デジタルメディアプレーヤー等であり、本考案の各実施形態に係る携帯装置２００はスマートフォンを例に説明するが、但しこれに制限させるわけではない。 
【００２２】
本考案の実施形態に係る外掛け式コントロールハンドル１００は２つの取手部１１０、活動部材１２０、及び２つの固定構造１３０を備える。ここでは、活動部材１２０は２つの取手部１１０の間に設置され、２つの固定構造１３０は活動部材１２０にそれぞれ設置される。ユーザーが携帯装置２００を２つの取手部１１０の間に定置したい場合、活動部材１２０により２つの取手部１１０の間隔を調整させ、２つの取手部１１０を携帯装置２００に接近させるか離れさせる。固定構造１３０は活動部材１２０を調整後の距離で固定させ、携帯装置２００を２つの取手部１１０の間に挟装させて固定させ、外掛け式コントロールハンドル１００を携帯装置２００に結合させて一体にし、ユーザーに使用させる。
【００２３】
以下には外掛け式コントロールハンドル１００の各部材の構造及び作動方式の詳細を更に説明する。なお、本実施形態による２つの取手部１１０には少なくとも１つの制御キー１１１及び凹部１１３がそれぞれ設置される。制御キー１１１は方向制御キーやファンクション選択キーであり、ユーザーは制御キー１１１を触圧し携帯装置２００内のアプリを操作する。凹部１１３は２つの取手部１１０の底部に開設され、活動部材１２０及び２つの固定構造１３０を収納させる。携帯装置２００は２つの取手部１１０の間に定置され、ユーザーは両手で同時に二側の２つの取手部１１０を持ち、よりスムーズに操作可能になる。
【００２４】
本実施形態による活動部材１２０は第一連接棒１２１、第二連接棒１２２、及び少なくとも１つの中央連接棒１２３を備える。第一連接棒１２１の一端は回転軸になり何れか１つの取手部１１０の底部に活動するよう設置され、第二連接棒１２２の一端は回転軸になり他の取手部１１０の底部に活動するよう設置され、中央連接棒１２３の二端は第一連接棒１２１及び第二連接棒１２２の他端にそれぞれ枢設される。これにより、２つの取手部１１０が互いに離れると、第一連接棒１２１及び第二連接棒１２２は凹部１１３内で中央に向け回転して突出し、中央連接棒１２３を連動させて横方向に枢動させ、２つの取手部１１０の間隔を徐々に開いていく。反対に、２つの取手部１１０が相互に接近すると、第一連接棒１２１及び第二連接棒１２２は凹部１１３内に向け回転して後退し、連動中央連接棒１２３は縦方向に枢動し、２つの取手部１１０の間隔を徐々に縮める。
【００２５】
さらに、第一連接棒１２１は上部連接棒１２１１及び下部連接棒１２１２を有し、上部連接棒１２１１と下部連接棒１２１２とは心棒１２１３により連接される。第二連接棒１２２は上部連接棒１２２１及び下部連接棒１２２２を有し、上部連接棒１２２１と下部連接棒１２２２とは心棒１２２３により連接される。また、何れか１つの固定構造１３０には心棒１２１３が同軸として第一連接棒１２１の上部連接棒１２１１と下部連接棒１２１２との間に設置され、他の固定構造１３０には心棒１２２３が同軸として第二連接棒１２２の上部連接棒１２２１と下部連接棒１２２２との間に設置される。
【００２６】
図２及び図３を示すように、本実施形態の２つの固定構造１３０は弾性部材１３１及び圧着部材１３２を各々備えると共に第一連接棒１２１及び第二連接棒１２２内にそれぞれ設置される。第一連接棒１２１については、弾性部材１３１及び圧着部材１３２は心棒１２１３に覆設されると共に上部連接棒１２１１と下部連接棒１２１２との間に位置され、弾性部材１３１は圧着部材１３２と上部連接棒１２１１との間に位置され、弾性部材１３１はゴム或いは発泡材を含むが、これらに限定されるわけではない。圧着部材１３２は下部連接棒１２１２と圧着部材１３２との間に位置されるバネ１３２１を有し、圧着部材１３２は常態では上を向き当着される。これにより、圧着部材１３２の一端は上に向き弾性部材１３１に当接され、圧着部材１３２の他端は上に向け中央連接棒１２３に当接され、中央連接棒１２３は弾性部材１３１と圧着部材１３２との間に挟装されるため枢動せず、固定効果を達成させる。
【００２７】
同様に、第一連接棒１２１の上部連接棒１２１１が押し方向Ｐ１０に沿い変位すると、上部連接棒１２１１は下に向け弾性部材１３１を圧縮させ、圧着部材１３２の一端を連動させ下に向け変位させ、圧着部材１３２の他端も共に下に向け変位させ、これにより中央連接棒１２３を係脱させて枢動させ、２つの取手部１１０の間隔を調整させる目的を更に達成させる（図４参照）。
【００２８】
ちなみに、上部連接棒１２１１が押し方向Ｐ１０に沿い変位すると、圧着部材１３２を連動させて下に向け変位させ、バネ１３２１は圧着部材１３２及び下部連接棒１２１２に圧迫されて回復弾力を発生させ、圧着部材１３２は押し方向Ｐ１０の反対に沿い弾性により回復され、自動復帰機能を達成させる。
【００２９】
同じく、第二連接棒１２２については、他の固定構造１３０の弾性部材１３１及び圧着部材１３２は心棒１２２３に覆設されると共に上部連接棒１２２１と下部連接棒１２２２との間に位置され、弾性部材１３１は圧着部材１３２と上部連接棒１２２１との間に位置される。圧着部材１３２は下部連接棒１２２２と圧着部材１３２との間に位置されるバネ１３２１を有し、圧着部材１３２は常態では上に向け当着される。これにより、圧着部材１３２の一端は上に向け弾性部材１３１に当接され、圧着部材１３２の他端は上に向け中央連接棒１２３に当接され、中央連接棒１２３は弾性部材１３１と圧着部材１３２との間に挟装されるため枢動せず、固定効果を更に達成させる。
【００３０】
上述したように、第二連接棒１２２の上部連接棒１２２１が押し方向Ｐ１０に沿い変位すると、上部連接棒１２２１は下に向け弾性部材１３１を圧縮させ、圧着部材１３２の一端を連動させて下に向け変位させ、圧着部材１３２の他端も共に下に向け変位させ、これにより中央連接棒１２３を係脱させて枢動させ、２つの取手部１１０の間隔を調整させる目的を更に達成させる。
【００３１】
ここでは、上部連接棒１２２１が押し方向Ｐ１０に沿い変位すると、圧着部材１３２を連動させて下に向け変位させ、バネ１３２１は圧着部材１３２及び下部連接棒１２２２に圧迫されて回復弾力を発生させ、圧着部材１３２は押し方向Ｐ１０の反対に沿い弾性により回復され、自動復帰機能を達成させる。
【００３２】
上述の構造は、ユーザーが第一連接棒１２１或いは第二連接棒１２２の内の片方のみを押すか、第一連接棒１２１及び第二連接棒１２２を同時に押すか選択し、２つの取手部１１０の間隔を調整させる。本実施形態では同時に押すのを例に説明する。ユーザーが２つの取手部１１０を持ち、両手の親指で第一連接棒１２１及び第二連接棒１２２を押し方向Ｐ１０に沿い直接押すと２つの取手部１１０の間隔を調整でき、両手の親指を第一連接棒１２１及び第二連接棒１２２から離すと間隔を固定できる。これにより、更に直感的により素早く２つの取手部１１０の間隔を調整させ、サイズの異なる様々な携帯装置２００を本考案に係る外掛け式コントロールハンドル１００に結合させ、適用性を高める。
【００３３】
この他に、更に優れた機能を具備する。本実施形態に係わる外掛け式コントロールハンドル１００は、２つの取手部１１０の対向する内側面にそれぞれ設置される２つのパット１４０を更に備える。２つのパット１４０の材質は発泡材やゴム等の軟性材料であり、携帯装置２００が２つの取手部１１０の間に設置されると、２つの取手部１１０の２つのパット１４０は携帯装置２００に当接されると共に圧迫されて変形し、携帯装置２００の外縁に緊密に貼着され、これにより更に安定的な挟持力を与え、同時に携帯装置２００に指が挟まれないようにする。
【００３４】
また、携帯装置２００との電気的な接続機能を達成させるため、本実施形態に係る外掛け式コントロールハンドル１００は接続ポート１５０を更に備える。接続ポート１５０はＵＳＢ接続ポート或いはＰＳ２接続ポートを含み、接続ポート１５０は何れか１つの取手部１１０に電気的に設置され、接続ケーブルが接続ポート１５０と携帯装置２００とに挿入されることで携帯装置２００に電気的に接続され、携帯装置２００内のアプリを操作する機能を達成させる（図６参照）。
【００３５】
＜第２実施形態＞
本考案に係る外掛け式コントロールハンドル１００の第二実施形態による構造全体は、上述の第一実施形態に係る外掛け式コントロールハンドルに相似するため、以下では両者の違いのみ詳細に説明する。
【００３６】
図７は本考案の第２実施形態による外掛け式コントロールハンドル１００が携帯装置に結合される傾斜の概略図である。本実施形態による外掛け式コントロールハンドル１００と上述の第一実施形態による外掛け式コントロールハンドルの構造の差異は、本実施形態による２つの取手部１１０には操作レバー１１２が更に設置され、ユーザーに操作される点である。このほか、本実施形態に係る外掛け式コントロールハンドル１００はワイヤレスモジュール１６０を更に備え、ワイヤレスモジュール１６０はブルートゥースワイヤレスモジュール或いは赤外線ワイヤレスモジュールで構成され、ワイヤレスモジュール１６０は何れか１つの取手部１１０内に装設されると共に携帯装置２００からの制御信号を受信させるか、或いは制御信号を携帯装置２００に送信させ、これにより携帯装置２００内のアプリを操作する機能を達成させる。
【００３７】
各実施形態に於いては、本考案に係る外掛け式コントロールハンドル１００は容易に収納される機能を具備する。携帯装置２００が外掛け式コントロールハンドル１００から取り外されると、同時に第一連接棒１２１及び第二連接棒１２２を下に押圧する作動方式により、活動部材１２０及び２つの固定構造１３０を回転させて後退させ、２つの取手部１１０の底部の凹部１１３内に収納させ、２つの取手部１１０を相互に接近させ、外掛け式コントロールハンドル１００の体積全体を縮小させる。また、２つの固定構造１３０は固定作用を有するため、外掛け式コントロールハンドル１００は容易に収納され携帯性が向上する。
【００３８】
上述の本考案に係る各実施形態についての説明から分かるように、本考案による外掛け式コントロールハンドルは、活動部材及び固定構造の構造設計により、従来のゲーム用の操作レバー或いはゲームコントローラーでは、固定構造或いは接続装置が単一の機種やメーカー製品にしか適用できず、操作も複雑過ぎ、ユーザーがサイズの異なる携帯装置ではゲーム用の操作レバーを素早く調整できず、使用上の困難をもたらし、ゲーム用の操作レバーの体積が大き過ぎて収納し難く、携帯性を損なう等の問題を解決させる。
【００３９】
従来の技術と比較し、本考案による外掛け式コントロールハンドルは活動部材及び固定構造の構造設計により、ユーザーが実際の需要に応じて２つの取手部の間隔を調整させ、異なるサイズの様々な携帯装置に本考案に係る外掛け式コントロールハンドルを結合させ、適用性を高める。このほか、活動部材及び固定構造は２つの取手部の凹部内に収納され、２つの取手部が互いに接近し体積全体を縮小させることで、容易に収納可能になり携帯にも便利になる。
【００４０】
以上、本考案の実施形態について図面を参照して詳述したが、具体的な構成はこの実施形態に限られるものではなく、本考案の要旨を逸脱しない範囲の設計変更等も含まれる。
【符号の説明】
【００４１】
１００  …  外掛け式コントロールハンドル
１１０  …  取手部
１１１  …  制御キー
１１２  …  操作レバー
１１３  …  凹部
１２０  …  活動部材
１２１  …  第一連接棒
１２１１  …  上部連接棒
１２１２  …  下部連接棒
１２１３  …  心棒
１２２  …  第二連接棒
１２２１  …  上部連接棒
１２２２  …  下部連接棒
１２２３  …  心棒
１２３  …  中央連接棒
１３０  …  固定構造
１３１  …  弾性部材
１３２  …  圧着部材
１３２１  …  バネ
１４０  …  パット
１５０  …  接続ポート
１６０  …  ワイヤレスモジュール
２００  …  携帯装置
Ｐ１０  …  押し方向
【図１】
0003191644.tif 000003
【図２】
0003191644.tif 000004
【図３】
0003191644.tif 000005
【図４】
0003191644.tif 000006
【図５】
0003191644.tif 000007
【図６】
0003191644.tif 000008
【図７】
0003191644.tif 000009
【図８】
0003191644.tif 000010